(57)【要約】【課題】切欠部及び段差部の形状変更によって摩擦力を生成するのではなく、ウレタン材質の摩擦補強材を用いて振動吸収装置とバーとの間の摩擦力を提供することによって、半永久的に使用可能な洗濯機用振動吸収装置を提供する。【解決手段】バーが挿通する中空が形成され、外周面に沿って半径方向に突出してスプリングと接触する突出部が形成され、前記突出部の下端に円筒形の延長部が形成されてなるキャップと、前記キャップの内側に圧入方式で組み込まれながら前記バーとの間に所定間隔で形成されているガイドと、前記ガイド内に形成されている所定空間に組み込まれるウレタン材質の摩擦補強材と、を備える構成とした。【選択図】図７
2008142524.tif 000002
【特許請求の範囲】
【請求項１】
バーが挿通する中空が形成され、外周面に沿って半径方向に突出してスプリングと接触する突出部が形成され、前記突出部の下端に円筒形の延長部が形成されてなるキャップと、
前記キャップの内側に圧入方式で組み込まれながら前記バーとの間に所定間隔で形成されているガイドと、
前記ガイド内に形成されている所定空間に組み込まれるウレタン材質の摩擦補強材と、
を備える洗濯機用振動吸収装置。
【請求項２】
前記キャップには１対の係合溝が形成され、前記ガイドには前記係合溝に係合される係止突起が形成され、前記係合溝と係止突起との係合によって前記キャップに前記ガイドが組み立てられる、請求項１に記載の洗濯機用振動吸収装置。
【請求項３】
前記キャップの内周面にはガイディング溝が形成され、前記ガイディング溝に前記ガイドが結合されることによって誤組立が防止される、請求項１に記載の洗濯機用振動吸収装置。
【請求項４】
前記ガイドの外周面の所定部には中空を中心に互いに対向する１対のサイド溝が形成され、キャップとの組立時、最初には収縮されて、前記係合とともに元来の状態に復帰することによって前記キャップとの離脱が防止される、請求項１に記載の洗濯機用振動吸収装置。
【請求項５】
前記キャップの上端部にはグリース溝が形成され、前記摩擦補強材にグリースを供給する、請求項１に記載の洗濯機用振動吸収装置。
【請求項６】
前記摩擦補強材は、板状のウレタンが巻かれて形成される、請求項１に記載の洗濯機用振動吸収装置。
【発明の詳細な説明】
【技術分野】
【０００１】
本発明は、洗濯物の洗濯及び脱水時に洗濯槽の回転によって発生する水槽の振動を、振動吸収装置とバーとの間の相互摩擦によって吸収するようにした洗濯機用振動吸収装置に関する。
【背景技術】
【０００２】
一般的に、家庭用洗濯機は、直方体状のハウジング内に円筒形の水槽と洗濯槽が設置され、この水槽と洗濯槽底の下部にはモーターが装着され、洗濯時に洗濯槽を正方向及び逆方向に回転駆動させつつ洗濯物を洗濯し、また、ハウジングの各隅部の内側には、洗濯機の床板と水槽の外側下端部とを連結させ、水槽と洗濯槽を空間に懸垂状態に支持しながら洗濯及び脱水時に水槽の上下・左右方向の振動を吸収する振動吸収装置が設置されている。
【０００３】
このような振動吸収装置と関連して本発明の出願人は韓国実用新案出願番号２０−１９９８−００１９７８９で“洗濯機用高減衰振動吸収装置”を出願した。
【０００４】
このような従来振動吸収装置１００は、図１及び図２に示すように、円形バー２００が挿通する中空を有するボディーたる円筒部１１０、円筒部１１０の内周面であって、挿通するバー２００と接触する摩擦面１１１、円筒部１１０の中間部位で円筒部１１０の外周面に沿って半径方向に突出して形成された突起部１２０、及び、円筒部１１０と突起部１２０に、中心から半径方向にそれぞれ切欠形成された切欠部１２１が形成されている。
【０００５】
そして、突起部１２０の切欠部１２１は、互いに対向して形成され、これらの各切欠部１２１間の突起部１２０には、突出形成された段差部１２２が形成され、洗濯機の嵌合部４００との接触時に突起部１２０に無理な力が加えられることなく効果的に収縮されるようになっている。また、切欠部１２１は、突起部１２０から円筒部１１０まで延在し円筒部１１０にも縦方向に第２切欠部１３０が形成される。この第２切欠部１３０は、円筒部１１０の下方に延在して円筒部１１０の下端で開放されることになる。これにより、外力による円筒部１１０の収縮が可能になり、円筒部１１０とバー２００との間に摩擦が生じる。
【０００６】
なお、突起部１２０の先端下部には、この先端から円筒部１１０に向かって略４５゜〜７０゜で下方傾斜した傾斜面１８０が形成され、これはバー２００の下端に備えられたホルダー（図示せず）に装着されたコイルスプリング３００に弾支されている。
【０００７】
したがって、このような従来の振動吸収装置は、洗濯槽の回動によって洗濯機に振動が発生すると、水槽(図示せず)の嵌合部４００に装着された振動吸収装置１００の突起部１２０が嵌合部４００と当接することで振動吸収装置１００に外力が加えられ、これにより、振動吸収装置の円筒部１１０の切欠部１２１以外の部分が中心部側に縮みながらバー２００を引き締めることになり、円筒部１１０の内部に形成された摩擦面１１１とバー２００との間の摩擦力が増大する。
【０００８】
また、洗濯槽（図示せず）の回転によって洗濯機の振動が起きると、水槽（図示せず）の嵌合部４００に振動吸収装置１００の突起部１２０が当接することから、傾斜面１８０はコイルスプリング３００を押し縮めながらコイルスプリング３００の弾発力によって円筒部１１０が圧迫され、その結果、バー２００と円筒部１１０の摩擦面１１１との間の摩擦力が増大しつつ洗濯機の振動が吸収される。
【０００９】
しかしながら、上記の振動吸収装置は、突起部の押し付けられる部位によって収縮性が異なってくるため、洗濯機が振動し続き一定時間の経過後に振動吸収装置が回転して切欠部側が嵌合部に当接すると、突起部の収縮性が低下して摩擦力が低下するという問題につながる。
【００１０】
そこで、このような問題点を解決するために、本発明の出願人は、韓国実用新案出願番号２０−１９９９−０００４２１５で“洗濯機用二重振動吸収装置”を出願した。
【００１１】
この振動吸収装置は、先行の振動吸収装置の欠点を解決する他、より向上した振動吸収力を提供するためのものであって、振動吸収装置の突起部に切欠部と段差部を追加に形成し、バーと摩擦摺動する円筒部の摩擦面にゴムを取り付けて摩擦力を増大させることを特徴とする。
【００１２】
図３は、上記の実用新案出願番号２０−１９９９−０００４２１５に開示された振動吸収装置の平面図であり、図４は、図３の振動吸収装置の正断面図であり、図５は、図４のＡ−Ａ線断面図であり、図６は、図４のＢ−Ｂ線断面図である。
【００１３】
図３に示すように、振動吸収装置１０は、円筒部１１の中間部位において半径方向に突出したやや円錘形の突起部１２が一体に形成される。この突起部１２には、半径方向に切欠されて開放された複数の切欠部１２ａが等間隔に形成される。ここで、これらの切欠部１２ａは、円筒部１１にまで続き、円筒部１１の中間部から下方に延在して下端部で開放された複数の第２切欠部１３が形成され、各切欠部１２ａ間の突起部１２上面にはやや膨出した段差部１２ｂが形成されている。
【００１４】
したがって、上記のように、突起部１２に多数の切欠部１２ａと段差部１２ｂが等間隔に形成されるため、突起部１２がいずれの方向から力を受けても略一定の収縮量が得られる。このため、洗濯中に、バー２００に嵌めつけられた振動吸収装置がこのバー２００を軸にして回転しても、略一定の摩擦力を維持することが可能になる。
【００１５】
また、図４乃至図６に示すように、突起部１２の上側と下側の円筒部１１には、ゴム材質の摩擦補強材Ｒが取り付けられる。この摩擦補強材Ｒは、その中央部に中空Ｒａが形成された直方体状に形成され、円筒部１１の突起部１２の上下においてこの摩擦補強材Ｒの外形に相応するように形成された円筒部１１の挿入溝１１ｂに嵌め込まれる。このとき、円筒部１１の中空部と摩擦補強材Ｒの中空部が一致するように嵌め込まれる。なお、整列された円筒部１１の中空部と摩擦補強材Ｒの中空Ｒａにはバー２００が挿設される。
【００１６】
したがって、バー２００が挿通する円筒部１１の摩擦面１１ａとゴム材質の摩擦補強材Ｒがバー２００に同時に接触するので、振動吸収装置１０がプラスチック材料のみからなる場合に比べて摩擦力がより増大する。
【発明の開示】
【発明が解決しようとする課題】
【００１７】
しかしながら、上記の従来技術では、ゴム材質の摩擦係数がさほど大きくないため、得られる摩擦力には限界があり、また、水槽の振動が重なるにつれて切欠部１２ａ及び段差部１２ｂに形成される溝が大きくなり、振動吸収装置１０とバー２００の結合が緩まるという問題点があった。
【００１８】
本発明は上記の問題点を解決するためのものであって、その目的は、切欠部及び段差部の形状変更によって摩擦力を生じさせるのではなく、ウレタン材質の摩擦補強材を用いて振動吸収装置とバーとの間に摩擦力を提供することによって、半永久的に使用することができる洗濯機用振動吸収装置を提供することにある。
【課題を解決するための手段】
【００１９】
上記目的を達成するための本発明は、バーが挿通する中空が形成され、外周面に沿って半径方向に突出してスプリングと接触する突出部が形成され、前記突出部の下端に円筒形の延長部が形成されてなるキャップと、前記キャップの内側に圧入方式で組み込まれながら前記バーとの間に所定間隔で形成されているガイドと、前記ガイド内に形成されている所定空間に組み込まれるウレタン材質の摩擦補強材と、を備える洗濯機用振動吸収装置とした。
【００２０】
好ましくは、前記キャップには１対の係合溝が形成され、前記ガイドには前記係合溝に係合される係止突起が形成され、前記係合溝と係止突起との係合によって前記キャップにガイドが組み立てられる。
【００２１】
また、前記キャップの内周面にはガイディング溝が形成され、前記ガイディング溝に前記ガイドが結合されることによって誤組立が防止される。
【００２２】
また、前記ガイドの外周面の所定部には中空を中心に互いに対向する１対のサイド溝が形成されることができる。
【００２３】
また、前記キャップの上端部にはグリース溝が形成され、前記摩擦補強材にグリースを供給することができる。
【００２４】
また、前記摩擦補強材は、板状のウレタンが巻かれて形成されると良い。
【発明の効果】
【００２５】
本発明は、切欠部及び段差部の形状変更によって摩擦力を生成するのではなく、ウレタン材質の摩擦補強材を用いて振動吸収装置とバーとの間に摩擦力を提供するため、半永久的に使用可能な洗濯機用振動吸収装置を提供することができる。
【発明を実施するための最良の形態】
【００２６】
以下、添付の図面を参照しつつ、本発明の好適な実施の形態について詳細に説明する。ただし、図面中、同一の構成要素には同一の参照符号を付する。
【００２７】
図７は、本発明の思想に基づく洗濯機用振動吸収装置を示す図であり、図８は、図７のＡ−Ａ'線断面図であり、図９は、本発明の思想に基づく洗濯機用振動吸収装置の分解斜視図である。
【００２８】
図７乃至図９を参照すると、本発明の洗濯機用振動吸収装置６００は、バー５００が挿通する中空６１１が形成され、外周面に沿って半径方向に突出してスプリング７００と接触する突出部６１２が形成され、突出部６１２の下端に円筒形の延長部６１３が形成されるキャップ６１０と、該キャップ６１０とバー５００との間に形成される所定空間に組み込まれるガイド６２０と、該ガイド６２０に形成される所定空間に組み込まれるウレタン材質の摩擦補強材６３０と、を備える。
【００２９】
より詳細には、キャップ６１０は、傘の形状に、すなわち、所定角度傾きつつ半径方向に延長形成され、洗濯機の嵌合部（図示せず）と接触する突出部６１２と、突出部６１２よりも小径を有し、ウレタン材質の摩擦補強材６３０が内部に組み込まれる延長部６１３とで構成される。キャップ６１０の突出部６１２の上端にはグリース溝６１４が形成され、このグリース溝６１４からグリースが供給される。このグリースは、振動吸収装置６００がバー５００を中心にして移動する際に、摩擦による摩耗を最小限に抑える機能を担う。すなわち、グリースは、キャップ６１０の上部を経てガイド６２０内に組み込まれた摩擦補強材６３０に到達して摩擦補強材６３０の摩耗を最小化する。
【００３０】
キャップ６１０の延長部６１３は、一端が開放された中空の円筒形状に形成され、その中空には、内部に摩擦補強材６３０が組み込まれるガイド６２０が嵌合される。なお、ガイド６２０の外周面の所定部には、１対のサイド溝６２１が互いに対向して形成される。これらのサイド溝６２１の存在によってガイド６２０は半径方向に所定の弾性を持つことができ、よって、ガイド６２０とキャップ６１０との組立時、最初は収縮されて、係合とともに元の状態に復帰する。
【００３１】
また、キャップ６１０とガイド６２０との組立のために、キャップ６１０には１対の係合溝６１５が形成され、ガイド６２０には係合溝６１５に係合される係止突起６２２が形成される。なお、キャップ６１０の内周面にはガイディング溝６１６が形成され、このガイディング溝は、キャップとガイドとの組立時に方向性を与えて誤組立を防止する機能を担う。
【００３２】
一方、ガイド６２０内に組み込まれる摩擦補強材６３０は、板状のウレタンを巻いて形成すれば良い。板状のウレタンを巻いた摩擦補強材を使用することで、いずれの方向においても一定の摩擦力を持つことができる。摩擦補強材６３０の具体例に、Ｃｅｌｌａｓｔｏを使用することができる。Ｃｅｌｌａｓｔｏとは、ＢＡＳＦ子会社であるドイツのＥｌａｓｔｏｇｒａｎ社のＣｅｌｌｕｌａｒ  ｐｏｌｙｕｒｅｔｈａｎｅ（ＰＵ）  ｅｌａｓｔｏｍｅｒｓの商品名である。Ｃｅｌｌａｓｔｏは、自動車シャシーのＳｐｒｉｎｇ  ａｉｄｓ（ｏｒ  ｂｕｍｐ  ｓｔｏｐｐｅｒ）として使われており、最近ではＮＶＨ（Ｎｏｉｓｅ、Ｖｉｂｒａｔｉｏｎ、Ｈａｒｓｈｎｅｓｓ）低減のために自動車及び一般産業分野で適用範囲を広めている。より詳細には、ＴＶブラウン管研磨ディスク（ｇｒｉｎｄｉｎｇ  ｄｉｓｋ）、エレベータのストッパー、ペーパーコンベヤーローラ（Ｐａｐｅｒ  Ｃｏｎｖｅｙｅｒ  Ｒｏｌｌｅｒ）類等に用いられている。
【００３３】
このＣｅｌｌａｓｔｏは、低圧縮度、静的動的状態を問わない長い耐久性、高い摩滅に対する抵抗性、オイルのような脂肪族炭化水素に対する抵抗性、オゾンに対する抵抗性、高圧縮性、及びカドミウムなどのような重金属に対する無害性との特徴から、上記の摩擦低減部材として最適の性能を持つものとされている。
【００３４】
このＣｅｌｌａｓｔｏの物性値を、下記の表１に示す。
【００３５】
【表１】
2008142524.tif 000003
【００３６】
以下、振動吸収装置６００の作動について説明する。
【００３７】
洗濯機は、直方体状のハウジング内に円筒形の水槽と洗濯槽が設置され、該水槽と洗濯槽底の下部にはモーターが装着され、洗濯時に洗濯槽を正方向または逆方向に回転駆動させる。この時、振動吸収装置６００は、ハウジングの各隅部の内側で床板と水槽の外側下端部とを連結させることによって水槽と洗濯槽を空間に懸垂状態に支持しながら洗濯及び脱水時に水槽の上下・左右方向の振動を吸収する。
【００３８】
より詳細には、水槽の振動によって振動吸収装置６００はバー５００に沿って上下に摺動するが、この時、摩擦補強材６３０とバー５００との間の摩擦によって振動吸収装置６００の振動速度は水槽の振動速度に至らず、振動が低減する。振動吸収装置６００がバー５００に沿って下方に移動する場合、摩擦補強材６３０とバー５００間の摩擦の他、スプリング７００の弾性力が水槽の振動を吸収し、また、圧縮されていたスプリング７００が伸張される場合、摩擦補強材６３０とバー５００との間の摩擦力がスプリング７００の 伸張速度を低減させる。
【００３９】
すなわち、本発明は、切欠部及び段差部の形状変更によって摩擦力を生成させる従来方法と違い、振動吸収装置６００の形状を維持しながら、耐摩耗性及び摩擦力の大きいウレタン材質の摩擦補強材６３０を採用して振動吸収装置６００とバー５００との間に適正摩擦力を提供することによって、より効果的且つ半永久的に水槽から伝達される衝撃を低減させることができる。
【００４０】
一方、摩擦補強材６３０は、洗濯機の振動特性のような洗濯機の設計仕様に応じて適度の振動吸収力を維持できるような長さ、厚さ及び個数にすれば良い。
【００４１】
以上では、添付の図面に基づく具体例を挙げて本発明を説明したが、これは例示的なものであって、その具体例から様々な変形及び均等な他の実施が可能であるということは、当該技術分野における通常の知識を持つ者にとっては自明である。したがって、本発明の技術的保護範囲は、添付の特許請求の範囲に基づく技術的思想によって定められるべきであろう。
【図面の簡単な説明】
【００４２】
【図１】従来実用新案出願番号２０−１９９８−００１９７８９に開示された振動吸収装置を示す平面図である。
【図２】図１に示す振動吸収装置の正断面図である。
【図３】従来実用新案出願番号２０-１９９９-０００４２１５に開示された振動吸収装置を示す平面図である。
【図４】図３の振動吸収装置の正断面図である。
【図５】図４のＡ−Ａ線断面図である。
【図６】図４のＢ−Ｂ線断面図である。
【図７】本発明の思想に基づく洗濯機用振動吸収装置を示す図である。
【図８】図７のＡ−Ａ'線断面図である。
【図９】本発明の思想に基づく洗濯機用振動吸収装置を示す分解斜視図である。
【符号の説明】
【００４３】
５００    バー
６００    振動吸収装置
６１０    キャップ
６１１    中空
６１２    突出部
６１３    延長部
６１４    グリース溝
６１５    係合溝
６１６    ガイディング溝
６２０    ガイド
６２１    サイド溝
６２２    係止突起
６３０    摩擦補強材
７００    スプリング
【図１】
2008142524.tif 000004
【図２】
2008142524.tif 000005
【図３】
2008142524.tif 000006
【図４】
2008142524.tif 000007
【図５】
2008142524.tif 000008
【図６】
2008142524.tif 000009
【図７】
2008142524.tif 000010
【図８】
2008142524.tif 000011
【図９】
2008142524.tif 000012